(57)【要約】【課題】商品通路の途中で商品が詰まる虞れを低減することができる商品収納ラックを提供する。【解決手段】商品収納ラック１４には、上下方向に沿って商品Ｃを収納する商品通路１７と、その商品通路の上方に構成した商品収納域６０とを設けてある。さらにその商品収納ラックには、商品通路に投入した商品の数に応じて商品収納域を増加させる収納域増加手段３５を設けてある。その収納域増加手段は、２組の回転ローラ３７，３８とベルト４０と位置検知センサ４１と商品検知センサ４２とを備えている。【選択図】        図９
2007018179.tif 000002
【特許請求の範囲】
【請求項１】
上下方向に沿って商品を収納する商品通路と、その商品通路の上方に構成した商品収納域とを設けて成り、前記商品通路の最下位置の商品の払い出しを行う商品収納ラックにおいて、
前記商品通路に投入した商品の数に応じて前記商品収納域を増加させる収納域増加手段を設けたことを特徴とする商品収納ラック。
【請求項２】
前記商品通路の最下位置の商品の払い出しを行う商品払出機構を設けて成り、
前記商品払出機構を上下方向に移動させる態様で前記収納域増加手段を構成したことを特徴とする請求項１に記載の商品収納ラック。
【発明の詳細な説明】
【技術分野】
【０００１】
本発明は、商品収納ラックに関するものである。
【背景技術】
【０００２】
缶入り飲料、ビン入り飲料、又はペットボトル入り飲料等の商品を販売する自動販売機が広く知られている。このような自動販売機は、上記商品を収納する商品収納ラックを内蔵している。
【０００３】
このような商品収納ラックの中には、左右に対向するよう立設した一対の側板の間に、複数の円弧状の案内部材（セグメント）を設け、上下方向に沿って蛇行した態様で商品通路を形成するサーペンタイン方式のものがある。
【０００４】
さらに、その商品収納ラックには、商品通路の下部に、商品通路の最下位置の商品の払い出しを行う商品払出機構を設けてある（例えば、特許文献１参照）。
【０００５】
上記商品収納ラックに商品を補充する場合、例えば円柱形状の商品を横倒しの姿勢で商品通路に投入し、投入した商品を重力の作用によって転がし、商品を転がすことで商品通路の下部に搬送する。
【０００６】
【特許文献１】特開平９−１５３１８１号公報
【発明の開示】
【発明が解決しようとする課題】
【０００７】
ところで、上記商品収納ラックに商品を補充する場合には、横倒しの姿勢で投入した商品が搬送の途中で立ち、それによって商品通路の途中で商品が詰まる虞れがあった。
【０００８】
本発明は、上記実情に鑑み、商品通路の途中で商品が詰まる虞れを低減することができる商品収納ラックを提供することを目的とする。
【課題を解決するための手段】
【０００９】
上記の目的を達成するために、請求項１に係る発明は、上下方向に沿って商品を収納する商品通路と、その商品通路の上方に構成した商品収納域とを設けて成り、商品通路の最下位置の商品の払い出しを行う商品収納ラックにおいて、商品通路に投入した商品の数に応じて商品収納域を増加させる収納域増加手段を設けたことを特徴とする。
【００１０】
また、本発明の請求項２に係る商品収納ラックは、上記請求項１において、商品通路の最下位置の商品の払い出しを行う商品払出機構を設けて成り、商品払出機構を上下方向に移動させる態様で収納域増加手段を構成したことを特徴とする。
【発明の効果】
【００１１】
本発明にかかる商品収納ラックによれば、商品通路の上方に構成した商品収納域と、商品通路に投入した商品の数に応じて商品収納域を増加させる収納域増加手段とを設けたので、商品を商品通路に収納する場合、投入した商品を商品通路の上部に配置することができる。従って、商品通路の下方まで商品を搬送する必要がないので、搬送の途中で商品の姿勢が変わることを低減することができ、商品通路の途中で商品が詰まる虞れを低減することができる。
【発明を実施するための最良の形態】
【００１２】
以下に添付図面を参照して、本発明に係る商品収納ラックの好適な実施の形態を詳細に説明する。
【００１３】
図１は、本発明にかかる商品収納ラックを適用した自動販売機の内部を開放した状態の斜視図、図２は、図１に示した自動販売機の断面側面図である。以下、これらの図を参照しながら、商品収納ラックを適用した自動販売機の構成について説明する。
【００１４】
ここで例示する自動販売機は、缶入り飲料、ビン入り飲料、又はペットボトル入り飲料等の商品Ｃを販売するためのもので、本体キャビネット１０、及びメインドア１１を備えている。
【００１５】
本体キャビネット１０は、複数の鋼板を適宜組み合わせることによって構成したもので、前面が開口した直方体状を成している。このような本体キャビネット１０の内部は、断熱部材を本体キャビネット１０に取り付けることで、断熱空間と成している。
【００１６】
メインドア１１は、本体キャビネット１０の前面開口を覆うのに十分な大きさを有したもので、鋼材により堅牢に構成してあり、本体キャビネット１０の一側縁部に支承させてある。
【００１７】
上記本体キャビネット１０の内部には、所定の間隔毎に側板１２ａ及び断熱部材１２ｂを設けてあり、それらの側板１２ａによって、本体キャビネット１０の内部に４つの独立した商品収容庫１２を並べて設けてある。さらに、上記断熱部材１２ｂによって、各商品収容庫１２を断熱空間と成している。一方、それら商品収容庫１２の下方となる位置に唯一の機械室１３を設けてある。
【００１８】
側板１２ａは、自動販売機の左右方向に対向するよう対を成す態様（図２においては、一方のみを示す）で配置してある。
【００１９】
商品収容庫１２は、商品Ｃを所望の温度に維持した状態で収容するためものである。そのような商品収容庫１２には、それぞれの上部から中央にわたってコラム状の商品収納ラック１４を配設してあり、それぞれの下部に商品シュータ１５を配設してある。
【００２０】
商品収納ラック１４には、例えばトップトレイ１６と商品通路１７とベンドメック（商品払出機構）２３とを対応するよう設けてある。
【００２１】
トップトレイ１６は、対応する商品通路１７に商品Ｃを案内するよう、側板１２ａの上部において、自動販売機の正面側から背面側にかけて漸次低くなる態様で配置した板状部材で構成してあり、上下方向に並べて設けてある。このようなトップトレイ１６は、対応する商品通路１７の入口において終端している。さらに、トップトレイ１６及び上記側板１２ａによって、商品収納ラック１４の正面側上端部には、投入口１６ａが形成されている。
【００２２】
自動販売機の正面側に配置してある商品通路１７は、上記一対の側板１２ａと、自動販売機の正面側に配置してある通路構成部材２０ａと、自動販売機の背面側に配置してある通路構成部材２０ｂとで構成してある。
【００２３】
一方、自動販売機の背面側に配置してある商品通路１７は、上記一対の側板１２ａと、自動販売機の背面側に配置してある通路構成部材２１ａと、自動販売機の正面側に配置してある通路構成部材２１ｂとで構成してある。なお、通路構成部材２０ｂと通路構成部材２１ｂとは、一体に形成してあるが、それぞれ別部材としても良い。
【００２４】
各商品通路１７は、自動販売機の上部から中央にわたって上下方向に沿って配置してあり、上下方向に沿って商品を収納するものである。しかも、それらの商品通路１７は、自動販売機の正面側から背面側に向けて列状に配置してある。各商品通路１７の上端部が商品Ｃの入口となっている一方、下端部が商品Ｃの払出口となっている。
【００２５】
ベンドメック２３は、自動販売機を販売状態にした場合、商品通路１７の下部に配置してあるものであって、最下位置の商品Ｃの払い出しを制御するものであり、図３に示すように、ソレノイド２６とリンク機構２９と下ペダル３２と上ペダル３３とを備えている。
【００２６】
ソレノイド２６は、商品通路１７の外側に、プランジャ２７を下方に向けて配置してある。このソレノイド２６は、プランジャ２７の先端を下方に伸ばした待機位置と、プランジャ２７の先端を上方に引いた作動位置とに移動可能に備えており、後述するプランジャ付勢部材３０の付勢力によって、通常、プランジャ２７を待機位置に保持しており、通電することによって、プランジャ付勢部材３０の付勢力に抗してプランジャ２７を作動位置に保持するよう構成してある。
【００２７】
リンク機構２９は、プランジャ２７と下ペダル３２とを接続しているとともに、プランジャ２７と上ペダル３３とを接続するものである。このようなリンク機構２９には、プランジャ付勢部材３０を設けてある。
【００２８】
下ペダル３２は、商品通路１７に対して進出位置と退行位置とに移動可能に支持してあり、進出位置に占位した場合には、商品通路１７に収納している商品Ｃを支持し、退行位置に占位した場合には支持していた商品Ｃを通過させるものである。
【００２９】
このような下ペダル３２には不図示の下ペダル付勢部材を設けてあり、下ペダル３２は、下ペダル付勢部材の付勢力によって、進出位置に向けて付勢してある。よって、下ペダル３２は、通常、進出位置に占位している。
【００３０】
上ペダル３３は、上記下ペダル３２の上方に配置してあり、商品通路１７に対して進出位置と退行位置とに移動可能に支持してあり、進出位置に占位した場合には、商品通路１７に収納している商品Ｃを支持し、退行位置に占位した場合には支持していた商品Ｃを通過させるものである。
【００３１】
このような上ペダル３３には不図示の上ペダル付勢部材を設けてあり、上ペダル３３は、上ペダル付勢部材の付勢力によって、退行位置に向けて付勢してある。よって、上ペダル３３は、通常、退行位置に占位している。
【００３２】
上記のように構成してあるベンドメック２３の作用を説明する。なお、ここでは、商品通路１７の最下位置にあるものを商品Ｃ１とし、その商品Ｃ１の上にあるものを商品Ｃ２として説明する。
【００３３】
自動販売機を販売待機状態にした場合、ベンドメック２３では、ソレノイド２６に通電を行わない。従って、プランジャ２７はプランジャ付勢部材３０の付勢力によって待機位置に占位しており、下ペダル３２は下ペダル付勢部材の付勢力によって進出位置に占位しており、上ペダル３３は上ペダル付勢部材の付勢力によって退行位置に占位している。従って、この状態では、商品通路１７の最下位置にある商品Ｃ１が下ペダル３２の上面に当接し、下ペダル３２で上記商品Ｃ１を支持している。しかも、この状態において上ペダル３３は退行位置に占位しているので、上ペダル３３は商品Ｃ１，Ｃ２に関与しない。
【００３４】
この状態から、自動販売機よりベンドメック２３に販売指令が送信されると、ベンドメック２３では、ソレノイド２６に通電を行う。その通電により、ソレノイド２６は、図４に示すように、プランジャ付勢部材３０の付勢力に抗してプランジャ２７を上方の作動位置に引き上げる。プランジャ２７が作動位置に引き上げられると、下ペダル３２は、下ペダル付勢部材の付勢力に抗して退行位置に占位し、且つ上ペダル３３は、上ペダル付勢部材の付勢力に抗して進出位置に占位する。このような下ペダル３２の移動及び上ペダル３３に移動により、商品通路１７の最下位置にある商品Ｃ１が払い出され、その商品Ｃ１の上にあった商品Ｃ２が上ペダル３３で支持されることとなる。商品通路１７から払い出された商品Ｃ１は、商品シュータ１５によって商品取出口１１ａに至る。
【００３５】
一定時間経過後、ソレノイド２６への通電を停止する。通電の停止により、図５に示すように、プランジャ２７はプランジャ付勢部材３０の付勢力によって待機位置に占位し、下ペダル３２は下ペダル付勢部材の付勢力によって進出位置に占位し、上ペダル３３は上ペダル付勢部材の付勢力によって退行位置に占位することとなる。このような下ペダル３２の移動及び上ペダル３３に移動により、上ペダル３３で支持していた商品Ｃ２が重力の作用で下ペダル３２の上に落下し、下ペダル３２でその商品Ｃ２を支持することとなる。
【００３６】
このようなベンドメック２３には、ベンドメック２３を上下方向に移動させる収納域増加手段３５を設けてある。収納域増加手段３５は、図２示すように、２組の回転ローラ３７，３８とベルト４０と位置検知センサ４１と商品検知センサ４２とを備えている。
【００３７】
各回転ローラ３７，３８は、商品Ｃの長さより長く形成してあって、２つで１組を構成している。それらの回転ローラ３７，３８において、一方の回転ローラ３７は、商品通路１７の上部で、商品通路１７の外側に配置してあり、他方の回転ローラ３８は、商品通路１７の下部で、商品通路１７の外側に配置してある。
【００３８】
上記回転ローラ３７において、一方の回転ローラ３７ａは、図２中、通路構成部材２０ａ，２１ａの手前側に配置してあり、他方の回転ローラ３７ｂは、図２中、通路構成部材２０ａ，２１ａの奥側に配置してある。
【００３９】
一方、上記回転ローラ３８において、一方の回転ローラ３８ａは、図２中、通路構成部材２０ａ，２１ａの手前側に配置してあり、他方の回転ローラ３８ｂは、図２中、通路構成部材２０ａ，２１ａの奥側に配置してある。
【００４０】
ベルト４０は、商品Ｃの長さよりも大きい幅を有する態様で形成してあって、回転ローラ３７ａ，３７ｂと回転ローラ３８ａ，３８ｂとの間を張り渡す態様で設けてある。そのベルト４０の一部には、上記ベンドメック２３を取り付けてある。
【００４１】
位置検知センサ４１は、商品通路１７の上部に配置してあり、商品Ｃを収納する場合に、商品Ｃ、又は下ペダル３２を検知するものである。
【００４２】
商品検知センサ４２は、投入口１６ａに商品Ｃが投入されたことを検知するものである。このような商品検知センサ４２は、作業者が投入口１６ａに手を入れた場合に、作業者の手を検知せず、且つ作業者が投入口１６ａから商品Ｃを投入した場合、投入した商品Ｃを検知する位置であって、投入口１６ａの近傍に配置してある。
【００４３】
このような構成を有する収納域増加手段３５は、例えば回転ローラ３８を回転する不図示のモータを備えており、当該モータを駆動することによって、図２中、他方の回転ローラ３８を反時計回りに回転すると、回転ローラ３７及びベルト４０を反時計回りに回転させることで上記ベンドメック２３を上方に移動する一方、当該モータを駆動することによって、図２中、回転ローラ３８を時計回りに回転すると、回転ローラ３７及びベルト４０を時計回りに回転させることで上記ベンドメック２３を下方に移動するものである。
【００４４】
上述した収納域増加手段３５によるベンドメック２３の移動は、図６に示すような制御手段５０によって制御している。
【００４５】
制御手段５０は、図示するように、メモリ５１と主制御部５２とベンドメック高さ取得部５３と商品検知取得部５４とベンドメック高さ設定部５５と駆動指令部５６と操作受付部５７とを備えている。
【００４６】
主制御部５２は、例えばＲＯＭやＲＡＭ等のメモリ５１に予め格納してあるプログラム又はデータに基づいて、ベンドメック高さ取得部５３、商品検知取得部５４、ベンドメック高さ設定部５５、駆動指令部５６、及び操作受付部５７を統括的に制御するものである。
【００４７】
ベンドメック高さ取得部５３は、位置検知センサ４１に接続してあり、位置検知センサ４１が商品Ｃ又は下ペダル３２を検知した場合、その旨を信号に変換して主制御部５２へ送信するものである。
【００４８】
商品検知取得部５４は、商品検知センサ４２に接続してあり、商品検知センサ４２が商品Ｃを検知した場合、その旨を信号に変換して主制御部５２へ送信するものである。
【００４９】
ベンドメック高さ設定部５５は、商品検知取得部５４を通じて商品Ｃを検知したことと、メモリ５１に予め格納してある横倒しの姿勢にした場合の商品高さとによって、商品通路１７に投入した商品Ｃの数に応じて、後述する商品収納域を増加させるようベンドメック２３を下方向に移動することを設定するものである。
【００５０】
駆動指令部５６は、モータＭに接続してあり、主制御部５２からの指令に基づき、モータＭを駆動することによって、ベンドメック２３を上方向または下方向に移動するものである。
【００５１】
操作受付部５７は、操作部ＣＯに接続してあり、操作部ＣＯに入力があった場合、入力された内容を信号に変換して主制御部５２へ送信するものである。なお、上記操作部ＣＯは、商品収納ラック１４に設けてある例えばリモコンである。
【００５２】
上記のような自動販売機に適用した商品収納ラック１４には、次のようにして商品Ｃを収納する。ここでは、制御手段５０による収納域増加手段３５の制御を中心に説明する。また、以下の説明において、図７に示すように、商品収納ラック１４には商品Ｃがないものとして説明する。
【００５３】
先ず、作業者は、メインドア１１を開けてから、操作部ＣＯに商品Ｃを収納する旨の入力を行う。
【００５４】
操作部ＣＯに商品Ｃを収納する旨の入力があった場合、操作受付部５７は、商品Ｃを収容する旨を信号に変換して主制御部５２へ送信する。
【００５５】
主制御部５２は、商品Ｃを収納する旨の信号を受信した場合、駆動指令部５６を介してベンドメック２３を上方に移動する旨の指令をモータＭに送信する。
【００５６】
モータＭは、ベンドメック２３を上方に移動する旨の指令を受信することで駆動し、図７中、回転ローラ３８を反時計回り回転させ、それにより回転ローラ３７及びベルト４０を反時計まわりに回転させて、商品通路１７の下部にあったベンドメック２３を上方に移動させる。
【００５７】
ベンドメック２３が上方に移動し、図８に示すように、位置検知センサ４１が下ペダル３２を検知した場合、ベンドメック高さ取得部５３は、位置検知センサ４１が下ペダル３２を検知したことを信号に変換して主制御部５２へ送信する。
【００５８】
主制御部５２は、位置検知センサ４１が下ペダル３２を検知した旨の信号を受信した場合、駆動指令部５６を介してベンドメック２３を停止する旨の指令をモータＭに送信する。
【００５９】
モータＭは、ベンドメック２３を停止する旨の指令を受信することで駆動を停止し、ベンドメック２３を商品通路１７の上部に停止させる。このようにベンドメック２３を商品通路１７の上部に配置した場合、この商品通路１７の上部には、１つの商品Ｃを収納することができる商品収納域６０が形成されることとなる。
【００６０】
この状態にした後、作業者は、投入口１６ａから商品Ｃを投入する。投入された商品Ｃは、重力の作用でトップトレイ１６の上を転がりながら、又は滑りながら移動し、商品通路１７の上部に搬送される。しかも、投入口１６ａに商品Ｃが投入されると、商品検知センサ４２がその商品Ｃを検知し、商品検知取得部５４は、商品検知センサ４２が商品Ｃを検知した旨を信号に変換して主制御部５２へ送信する。
【００６１】
主制御部５２は、商品検知センサ４２が商品Ｃを検知した旨の送信があった場合、ベンドメック高さ設定部５５にその旨を送信する。
【００６２】
ベンドメック高さ設定部５５は、主制御部から商品Ｃを検知した旨の送信があった場合、商品検知取得部５４を通じて商品Ｃを検知したことと、メモリ５１に予め格納してある横倒しの姿勢にした場合の商品高さとによって、ベンドメック２３を商品Ｃの１つ分に相当する高さだけ下方に移動する設定を行う。
【００６３】
主制御部５２は、ベンドメック高さ設定部５５の設定に基づき、駆動指令部５６を介して商品Ｃの１つ分に相当する高さだけベンドメック２３を下方に移動する旨の指令をモータＭに送信する。
【００６４】
モータＭは、商品Ｃの１つ分に相当する高さだけベンドメック２３を下方に移動する旨の指令を受信した場合、図９に示すように、駆動することによって、ベンドメック２３を商品１つ分に相当する高さだけ下方に移動させる。このようにベンドメック２３を商品１つ分に相当する高さだけ下方に移動した場合、商品通路１７には、２つの商品Ｃを収納することができる商品収納域６０が形成されることとなる。
【００６５】
以下同様に、作業者は、投入口１６ａに商品Ｃを投入する。そして、商品収納ラック１４は、商品通路１７に投入した商品Ｃの数に応じてベンドメック２３を下方に移動し、それにより商品収納域６０を増加させる。
【００６６】
作業者は、商品収納ラック１４への商品Ｃの投入を終了する場合、操作部ＣＯにその旨の入力を行う。
【００６７】
操作部ＣＯに商品Ｃの投入を終了する旨の入力があった場合、操作受付部５７は、商品Ｃの投入を終了する旨を信号に変換して主制御部５２へ送信する。
【００６８】
主制御部５２は、商品Ｃの投入を終了する旨の指令を受信した場合、駆動指令部５６を介してベンドメック２３を下方に移動する旨の指令をモータＭに送信する。
【００６９】
モータＭは、ベンドメック２３を下方に移動する旨の指令を受信した場合、駆動することによって、図９中、回転ローラ３８を時計回り回転させ、それにより回転ローラ３７およびベルト４０を時計回りに回転させ、図１０に示すように、商品通路１７の途中にあったベンドメック２３を商品通路１７の下部に移動する。
【００７０】
その後、作業者は、メインドア１１を閉めて商品Ｃの収納を終了する。
【００７１】
なお、上述した例では、商品収納ラック１４に商品Ｃを収納する場合、商品収納ラック１４に商品Ｃがないものとして説明した。仮に、商品収納ラック１４に商品Ｃがある場合には、ベンドメック２３が上方に移動して位置検知センサ４１が最上位置の商品Ｃを検知し、その検知に基づいて、ベンドメック高さ取得部５３が、商品Ｃを検知した旨の信号を主制御部５２へ送信する。そして、主制御部５２は、駆動指令部５６を介してベンドメック２３を停止する旨の指令をモータＭに送信する。
【００７２】
この実施の形態の商品収納ラック１４によれば、商品通路１７に投入した商品Ｃの数に応じて商品収納域６０を増加させる収納域増加手段３５を設けたので、商品Ｃを商品通路１７に収納する場合、投入した商品Ｃを商品通路１７の上部に配置することができる。従って、商品通路１７の下部まで商品Ｃを搬送する必要がないので、搬送の途中で商品Ｃの姿勢が変わることを低減することができ、商品通路１７の途中で商品Ｃが詰まる虞れを低減することができる。しかも、投入した商品Ｃを商品通路１７の上部に配置することができるから、仮に、横倒しの姿勢で投入した商品Ｃが商品通路１７の上部で立っていても、商品Ｃを横倒しの姿勢に修正することができる。
【００７３】
なお、上述した実施の形態には、収納域増加手段３５が、２組の回転ローラ３７，３８と、ベルト４０と、位置検知センサ４１と、商品検知センサ４２とを備えるもので説明した。しかしこの発明はそれに限られず、収納域増加手段３５が、２組の回転ローラ３７，３８、ベルト４０、位置検知センサ４１、及び商品検知センサ４２を備える代わりに、商品１つの重量によって横倒しの姿勢にした場合の商品高さに相当する距離だけ伸びる弾性部材を、ベンドメック２３と、図２に示す商品収容庫１２の天板１２ｄとの間に設けることで、商品通路１７に投入した商品Ｃの数に応じてベンドメック２３を下方に移動させるよう構成しても良い。
【００７４】
また、上述した例では、一方の通路構成部材に下ペダル３２と上ペダル３３とを備えるベンドメック２３を設けるものを説明した、しかしこの発明はそれに限られず、一方の通路構成部材に下ペダル３２を設け、他方の通路構成部材に上ペダル３３を備えるベンドメック２３を設けても良いし、一方の通路構成部材に上ペダル３３を設け、他方の通路構成部材に下ペダル３２を備えるベンドメック２３を設けても良い。
【図面の簡単な説明】
【００７５】
【図１】この発明にかかる商品収納ラックを適用した自動販売機の内部を開放した状態を示す斜視図である。
【図２】その自動販売機の断面側面図である。
【図３】その自動販売機が備えるベンドメックの構成を示す説明図である。
【図４】そのベンドメックの作用を示す説明図である。
【図５】そのベンドメックの作用を示す説明図である。
【図６】その商品収納ラックが備える制御手段を示す説明図である。
【図７】その商品収納ラックに商品を収納する場合を示す説明図である。
【図８】その商品収納ラックに商品を収納する場合を示す説明図である。
【図９】その商品収納ラックに商品を収納する場合を示す説明図である。
【図１０】その商品収納ラックに商品を収納した場合を示す説明図である。
【符号の説明】
【００７６】
１４    商品収納ラック
１７    商品通路
２３    ベンドメック（商品払出機構）
３５    収納域増加手段
６０    商品収納域
【図１】
2007018179.tif 000003
【図２】
2007018179.tif 000004
【図３】
2007018179.tif 000005
【図４】
2007018179.tif 000006
【図５】
2007018179.tif 000007
【図６】
2007018179.tif 000008
【図７】
2007018179.tif 000009
【図８】
2007018179.tif 000010
【図９】
2007018179.tif 000011
【図１０】
2007018179.tif 000012